(57)【特許請求の範囲】
【請求項１】
カード（３０）を受け取るための手段（４２）と、ＩＣＣリード／ライト手段（１８）とを備えるＩＣＣカード・リーダ／ライタであって、
弾性手段（２４）と、
旋回軸（１６）回りに回動可能で、前記ＩＣＣリード／ライト手段（１８）を搭載するとともに、前記弾性手段（２４）が係止される係止部（２２）を有する第１の可動アーム（１２）と、
前記旋回軸（１６）回りに回動可能で、前記カード（３０）を位置決めするためのカード・スナップ手段（２０）と、前記弾性手段（２４）と係合する係合部を備える第２の可動アーム（１４）と、
前記可動アーム（１２、１４）の駆動手段（２８）と、
を有し、
前記カード（３０）が挿入されると、前記可動アームの駆動手段（２８）が、前記可動アーム（１２、１４）を退避位置から回動させて、前記第１の可動アーム（１２）の前記ＩＣＣリード／ライト手段（１８）を前記カード（３０）のＩＣＣ記録読取位置に当接させ、前記第２の可動アーム（１４）は前記弾性手段（２４）によって付勢されながら前記カード（３０）を所定位置に位置決めし、
前記カード（３０）が捕捉すべきカードであった場合は、前記可動アームの駆動手段（２８）が前記可動アーム（１２、１４）を前記回動方向と逆方向に回動させて前記退避位置まで移動させ、前記カード（３０）を捕捉可能にすることを特徴とするＩＣＣカード・リーダ／ライタ。
【請求項２】
プロセッサ手段（５０）と、カード受取り手段（４２）と、カード読取り手段（１８）と、入力手段（４４）と、ディスプレイ手段（４６）と、カード・センサ手段（５４）と、カード搬送手段（４１、４３）と、カード捕捉エンクロージャ（４５）とを備えるセルフサービスの金融端末であって、
弾性手段（２４）と、
旋回軸（１６）回りに回動可能で、前記ＩＣＣリード／ライト手段（１８）を搭載するとともに、前記弾性手段（２４）が係止される係止部（２２）を有する第１の可動アーム（１２）と、
前記旋回軸（１６）回りに回動可能で、前記カード（３０）を位置決めするためのカード・スナップ手段（２０）と、前記弾性手段（２４）と係合する係合部を備える第２の可動アーム（１４）と、
前記可動アーム（１２、１４）の駆動手段（２８）と、
を有するカード・アラインメント手段（１０）を備え、
前記カード・アラインメント手段（１０）は、前記カード（３０）が挿入されると、前記可動アームの駆動手段（２８）が、前記可動アーム（１２、１４）を回動させて、前記第１の可動アーム（１２）の前記ＩＣＣリード／ライト手段（１８）を前記カード（３０）のＩＣＣ記録読取位置に当接させ、前記第２の可動アーム（１４）は前記弾性手段（２４）によって付勢されながら前記カード（３０）を所定位置に位置決めし、
前記カード（３０）が捕捉すべきカードであった場合は、前記可動アームの駆動手段（２８）が前記可動アーム（１２、１４）を前記回動方向と逆方向に回動させて退避位置まで移動させ、前記カード搬送手段（４１、４３）により前記カード（３０）を前記カード捕捉エンクロージャ（４５）まで搬送することを特徴とする金融端末。
【発明の詳細な説明】
【０００１】
【発明の属する技術分野】
本発明は、現金自動預け払い機（ＡＴＭ）のためのカード、またはスマートカード（ｓｍａｒｔｃａｒｄ）または電子金入れ（ｅｌｅｃｔｒｏｎｉｃ  ｐｕｒｓｅ）などの、データを記憶しているＩＣＣ（Ｉｎｔｅｇｒａｔｅｄ  Ｃｉｒｃｕｉｔ  Ｃｏｎｔａｃｔ）（集積回路コンタクト）カードのためのリーダ／ライタに関する。
【０００２】
【従来の技術、及び、発明が解決しようとする課題】
そのようなカードが最初に書き込まれ、それ以降で読まれる時、そのカードをリーダ／ライタに関して正確に位置決めすることが基本的に必要である。現在、これは銀行カードまたは書き込まれたカードを、その先端がストップに接触するまでスロットの中に挿入することによって行われている。その時、リーダ／ライタの接点を必要な位置で正確にカードのＩＣＣ領域の上に下げることができる。
【０００３】
カードが利用者に対して発行される時、それは盗まれたり、あるいは不正に使用される可能性があり、その場合、ＡＴＭシステムまたはスマートカード（ＳｍａｒｔＣａｒｄ）端末などのカード読取りシステムを提供している金融機関は、そのカードが次回に使用される時にそれを捕捉したいと考える。
【０００４】
そのような捕捉が、例えば、ＡＴＭの中に滞留しているカードについて自動的に実行できれば非常に好ましい。ＡＴＭの中のカード・リーダの現在の構造では、カードの先端に対するストップは挿入スロットの後の壁によって提供されている。従って、カードを保留しておくためには、後の壁を物理的に取り除く必要がある。そのためにはＡＴＭの内部に機械的、電気的および、ソフトウェアによる制御の複雑な組合せによってのみ実現できる。
【０００５】
本発明の目的は、アラインメントの構造が単純で、カードを自動的に簡単に捕捉できるＩＣＣカード用のリーダ／ライタを提供することである。
【０００６】
【課題を解決するための手段】
本発明の第１の態様によれば、カードを受け取るための手段と、ＩＣＣリード／ライト手段とを備えるＩＣＣカード・リーダ／ライタが提供される。それは弾性手段と、旋回軸回りに回動可能で、前記ＩＣＣリード／ライト手段を搭載するとともに、前記弾性手段が係止される係止部を有する第１の可動アームと、前記旋回軸回りに回動可能で、前記カードを位置決めするためのカード・スナップ手段と、前記弾性手段と係合する係合部を備える第２の可動アームと、前記可動アームの駆動手段と、を有し、前記カードが挿入されると、前記可動アームの駆動手段が、前記可動アームを退避位置から回動させて、前記第１の可動アームの前記ＩＣＣリード／ライト手段を前記カードのＩＣＣ記録読取位置に当接させ、前記第２の可動アームは前記弾性手段によって付勢されながら前記カードを所定位置に位置決めし、前記カードが捕捉すべきカードであった場合は、前記可動アームの駆動手段が前記可動アームを前記回動方向と逆方向に回動させて前記退避位置まで移動させ、前記カードを捕捉可能にすることを特徴とする。
【０００７】
本発明の第２の態様によれば、処理手段と、カード受取り手段と、カード読取り手段と、入力手段と、ディスプレイ手段と、カード・センサ手段と、カード搬送手段と、カード捕捉エンクロージャとを備えるセルフサービスの金融端末が提供される。それは、弾性手段と、旋回軸回りに回動可能で、前記ＩＣＣリード／ライト手段を搭載するとともに、前記弾性手段が係止される係止部を有する第１の可動アームと、前記旋回軸回りに回動可能で、前記カードを位置決めするためのカード・スナップ手段と、前記弾性手段と係合する係合部を備える第２の可動アームと、前記可動アームの駆動手段と、を有するカード・アラインメント手段を備え、前記カード・アラインメント手段は、前記カードが挿入されると、前記可動アームの駆動手段が、前記可動アームを回動させて、前記第１の可動アームの前記ＩＣＣリード／ライト手段を前記カードのＩＣＣ記録読取位置に当接させ、前記第２の可動アームは前記弾性手段によって付勢されながら前記カードを所定位置に位置決めし、前記カードが捕捉すべきカードであった場合、前記可動アームの駆動手段が前記可動アームを前記回動方向と逆方向に回動させて退避位置まで移動させ、前記カード搬送手段により前記カードを前記カード捕捉エンクロージャまで搬送することを特徴とする。
【０００８】
本発明を、添付の図面を参照しながら以下に記述するが、これは単なる例示としてのものにすぎない。
【０００９】
【発明の実施の形態】
図１において、カード・リーダのアラインメント機構１０は第１のアーム１２および第２のアーム１４を含み、両方とも各アームの一端に近い同じピボット１６の回りにピボットされている。
【００１０】
第１のアーム１２のピボット１６から離れている方の端にはＩＣＣカードのヘッド１８が搭載されている。第２のアーム１４のピボット１６から離れた方の端には読み出されるカードと噛み合うためのリップ２０がある。
【００１１】
第１のアーム１２はピボットとＩＣＣリード・ヘッド１８との間の一方のサイドに、そしてそのアームに垂直に突き出してシャンク２２を搭載している。そのシャンクはコイル・スプリング２４によって囲まれており、コイル・スプリング２４はシャンクのヘッド２６と第２のアームの前記サイドとの間で作用し、第２のアームをピボット１６の回りに、そして第１のアームに向かって時計方向に回転させるように働く。前記第１のアーム１２の前記端に隣合わせてソレノイド２８がある。
【００１２】
第２のアーム１４はリップ２０の隣にストップ１５を搭載している。そのストップは第１のアーム１２のエッジに接触し、図に示されている相対位置を越えて第１のアームに相対的に時計方向に第２のアーム１４がさらに動くのを防止する。
【００１３】
図１は、機構１０がカードの水平位置の位置決めを行わない際の退避位置（位置決めを行う際よりも引っ込んだ位置）にあるときを示している。ＡＴＭのカード・リーダのスロットの中に手動で挿入されたカード３０はセンサ（図示せず）によってセンスされ、モータ（図示せず）がローラ（図示せず）を動作させて、カードを機構のさらに奥まで矢印Ｉの方向に引っ張り、図１に示されている位置に来たらモータを停止させる。矢印Ｉの方向におけるカードの水平方向の位置決めは、この段階では重要ではない。
【００１４】
図２は読み出されるカードが正しいアラインメントの状態にあることを示している。この位置に到達するために、ＡＴＭのモータが停止している時、ソレノイド２８は第１のアーム１２に対して矢印Ｆの方向に力を加えるように作動する。カードが第２のアーム１４の上のカード噛み合いリップ２０がカードと接触するまで、第１および第２のアーム１２、１４がピボット・ポイント１６の回りに時計方向に一緒に回転する。これは第２のアーム１６が更に動くのを防止するが、力Ｆを連続して加えることによって、第１のアーム１２が更に回転し、シャンク・ヘッド２６と第２のアーム１４との間のスプリング２４を圧縮し、それをオーバラップさせる。スプリング２４の強さはそれがソレノイドの力Ｆによって完全に圧縮された時に、ＩＣＣのリード・ヘッド１８がカード３０の上のＩＣＣ記録手段と正確に整列されるように選択される。
【００１５】
そのとき、ＩＣＣカード３０上のデータをヘッド１８によって読むことができる。
【００１６】
アームの合計の移動量は約３０ｍｍである。それはカードを入力スロットから押し出すには不十分である。
【００１７】
そのカードが盗まれたものであるか、あるいは不正に使用されたものであることをカード３０上のデータが示している場合、あるいは何らかの他の理由で、そのＡＴＭを運用している金融機関がそのカードを捕捉したい場合、ソレノイド２８をオフにする。すると、図２の状態で第１のアーム１２に加わっていた力Ｆが解除され、第１および第２のアーム１２、１４は後述するスプリングにより反時計方向に回転し、再び図１に示す退避位置に戻る。次に、カード３０を閉じこめるエンクロージャの中に捕捉するために矢印Ｃによって示されている方向に沿ってモータ駆動のローラによって動かすことができる。
【００１８】
その反時計方向の運動は、一度電源がオフにされた時にソレノイドのアクションを逆転させるためにソレノイドによって普通に提供されている戻りのスプリング（図示せず）によって生じる。
【００１９】
図３は本発明によるカード・リーダを組み込んでいるＡＴＭ４０の外観である。ＡＴＭ４０はカード入力スロット４２と、キーパッド４４と、ディスプレイ画面４６と、紙幣払出しスロット４８とを備えている。ＡＴＭの内部にはモータ４３によって駆動される一対のローラ４１がある。ローラ４１はカード入力スロット４２とカード捕捉エンクロージャ４５との間に配置されている。
【００２０】
ＡＴＭ４０に対する制御システムが図４に示されており、これはプロセッサ５０をベースにしている。プロセッサ５０はキーパッド４４から命令を受け取り、そのＡＴＭを提供している金融機関が運用している中央制御ポイント（図示せず）からコネクション５２上でオーソライゼーションを要求する。オーソライズされた場合、プロセッサ５０は払出しスロット４８を通じて紙幣を払い出すよう、紙幣払出し手段４９に指令する。
【００２１】
また、プロセッサ５０は図３に示されているカード入力スロット４２の隣にあるカード・センサ５４に接続され、そしてモータ４３にも接続されている。また、プロセッサ５０は図１に示されているようなソレノイド２８にも接続されている。
【００２２】
ＡＴＭのトランザクションを開始するために、利用者はデータが磁気的に記録されているカードをスロット４２に挿入する。そのカードはカード・センサ５４によってセンスされ、センサは適切な信号をプロセッサ５０へ送り、プロセッサ５０はモータ４３を作動させてローラ４１を駆動し、図１に示されているような適切な位置に対して図１の中の矢印Ｉの方向にＡＴＭの中にそのカードを引き込む。プロセッサ５０はモータ５３に停止するように指令し、次にソレノイド２８を作動させてアラインメント機構の第１および第２のアーム１２、１４を回転させ、カード３０を上記のようにリード／ライト接触ヘッド１８と整列させる。
【００２３】
カードが読み出された後、プロセッサはソレノイド２８を解放し、そして図１に示されている引っ込んだ位置に第１および第２のアームを戻す。
【００２４】
カードが中央の機関によってオーソライズされた場合、その要求されたトランザクションは完了し、プロセッサ５０はモータ４３がローラ４１を逆方向に作動させてそのカードをスロット４２を通じて戻す。
【００２５】
しかし、カードがオーソライズされなかった場合、そしてそのカードを捕捉したい場合、プロセッサ５０はモータ４３を前方向に作動させるように指令し、ローラ４１は矢印Ｃによって図１に示されている方向にカード３０を駆動し、捕捉エンクロージャ４５（図３参照）に対して駆動するようにする。アーム１２、１４は引っ込んでいるので、それらはその捕捉の動きを妨げない。
【００２６】
また、プロセッサ５０は「ＣＡＲＤ  ＲＥＴＡＩＮＥＤ（カードが保留された）」などの適切なメッセージをディスプレイ画面４６上に表示する。
【００２７】
本発明は磁気カードおよびＩＣＣカードのリーダ／ライタに関して記述されてきたが、それはＩＣＣカードのリーダ／ライタに対しても使用することができる。
【００２８】
本発明はＡＴＭに対する利用者のカードに関して記述されてきたが、それはまたスマートカードなどの、データを含んでいるカードの正確なポジショニングを必要とする任意の他のタイプのリードまたはライト端末において使うこともできる。
【図面の簡単な説明】
【図１】引っ込んだ位置にあるカード・アラインメント機構を示す。
【図２】カードがアラインメント位置にある場合の機構を示す。
【図３】図１および２のカード・アラインメント機構を備えているＡＴＭを示す。
【図４】そのようなＡＴＭに対する制御システムを示す。
【図１】
0004293317.tif 000002
【図２】
0004293317.tif 000003
【図３】
0004293317.tif 000004
【図４】
0004293317.tif 000005